(57)【特許請求の範囲】
【請求項１】
ＯＣＲ部と、
前記ＯＣＲ部によって特定の文字として認識されたイメージデータを認識結果毎にグループ化して格納する格納部と、
前記格納部に格納されている、同じ文字として認識された複数のイメージデータをそれぞれ単位画像として表示する表示部と、
前記表示部を制御する制御部とを備え、
前記表示部は、前記制御部によって制御される第１の表示領域と、該第１の表示領域の一方の側及び他方の側にそれぞれ位置する２つの第２の表示領域とを有し、
前記制御部は、前記第１の表示領域及び前記第２の表示領域にそれぞれ複数の単位画像を表示し、かつ前記第１の表示領域における前記単位画像の表示形式と前記第２の表示領域における前記単位画像の表示形式とが異なるように制御するシステム。
【請求項２】
前記制御部は、前記一方の側の第２の表示領域から前記他方の側の第２の表示領域に向かって前記複数の単位画像をスクロールさせる請求項１に記載のシステム。
【請求項３】
前記制御部は、単位時間あたりの前記複数の単位画像の移動距離を調整する手段を含む請求項２に記載のシステム。
【請求項４】
前記制御部は、少なくとも１つの第２の表示領域における前記単位画像のサイズを、前記第１の表示領域における前記単位画像のサイズよりも大きく表示させる請求項１乃至３のいずれかに記載のシステム。
【請求項５】
前記制御部は、前記少なくとも１つの第２の表示領域において、前記第１の表示領域から離れるに従って、前記単位画像の拡大率を大きくして表示させる請求項４に記載のシステム。
【請求項６】
前記第２の表示領域に表示される前記スクロールの方向の前記単位画像の数は、前記第１の表示領域に表示される前記スクロールの方向の前記単位画像の数よりも多い請求項１乃至５のいずれかに記載のシステム。
【請求項７】
前記第２の表示領域に表示される前記スクロールの方向と直交する方向の前記単位画像の数は、前記第１の表示領域に表示される前記スクロールの方向と直交する方向の前記単位画像の数と同一である請求項１乃至５のいずれかに記載のシステム。
【請求項８】
ユーザーの操作により、前記単位画像に含まれるキャラクターの種類を変更する編集部を備える請求項１乃至７のいずれかに記載のシステム。
【請求項９】
前記制御部は、前記同じ文字の基準画像を前記単位画像と共に前記第１の表示領域に表示する請求項１乃至８のいずれかに記載のシステム。
【請求項１０】
ＯＣＲ部により同じ文字として認識された複数のイメージデータをそれぞれ単位画像として表示するシステムにおいて、
前記ＯＣＲ部によって特定の文字として認識されたイメージデータを認識結果毎にグループ化して格納するステップと、
前記格納するステップにより格納されている、同じ文字として認識された複数のイメージデータをそれぞれ単位画像として、第１の表示領域と、該第１の表示領域の一方側及び他方の側にそれぞれ位置する２つの第２の表示領域とに表示するステップとを含み、
前記第１の表示領域と前記第２の表示領域とで、前記単位画像の表示形式が異なっている方法。
【請求項１１】
請求項１０に記載の各ステップをコンピュータに実行させるためのコンピュータ・プログラム。
【発明の詳細な説明】
【技術分野】
【０００１】
本発明は、イメージスキャナーやＯＣＲ（Ｏｐｔｉｃａｌ  Ｃｈａｒａｃｔｅｒ  Ｒｅｃｏｇｎｉｔｉｏｎ）のユーザインタフェースを提供するシステム、表示方法及びこれを用いたプログラムに関する。特に、イメージスキャナーやＯＣＲで認識した文字やキャラクター等をオペレータが目視検査する際に用いるシステム、表示方法及びこれを用いたコンピュータ・プログラムに関する。
【背景技術】
【０００２】
近年、図形、文字、キャラクター等を光学式に読み取りイメージ化し、基準となる図形、文字、キャラクター等のパターンと比較することにより、特定の図形、文字、キャラクターとして認識するＯＣＲ装置及びＯＣＲ機能を有するコンピュータが普及してきた。このＯＣＲの普及により、人間がデータエントリシートに記入した文字やキャラクターを電子化することができ、データ処理作業の迅速化が図られてきた。【０００３】
一方、ＯＣＲ装置においては、種々の図形、文字、キャラクター等を大量に扱うことが要求されているので、誤認識が発生する場合がある。そのため、オペレータにより、ＯＣＲ装置の認識結果を目視検査し、誤認識された認識結果を修正する必要がある。しかし、この修正作業においては、認識結果の全てをチェックすることが要求されるため、作業効率を上げることが要求される一方、作業効率を上げようとすると、オペレータの負担が大きくなってしまうという問題がある。【０００４】
下記の特許文献１には、図１４に示すように、ＯＣＲによって認識した同一認識結果の文字イメージを一度に表示し照合することで作業効率の向上を図る検査方法が開示されている。図１４に示すとおり、エリア１には、ＯＣＲによって「２」と認識された文字イメージが纏めて表示されており、またエリア２には、ＯＣＲによって「３」と認識された文字イメージが纏めて表示されている。オペレータは、このエリア１又はエリア２に表示されている文字イメージを横方向に視線移動させながら目視検査し、その中から誤認識された文字イメージ（即ち異物）を見つけ出し、誤認識結果を修正する作業を行う。この技術においては、特定の文字イメージを纏めて目視検査することができるので、誤認識結果を発見する作業効率が向上する。【０００５】
しかしながら、この特許文献１に開示されている技術では、オペレータは、横方向に視線移動させながら目視検査を行う必要があり、視線移動による文字イメージの見落としや、検査行の飛び越し等の危険性があった。また、オペレータの視線移動が多く、作業負担が大きいという問題が残されていた。【０００６】
また、下記の特許文献２には、図１５に示すように、ＯＣＲによって認識した文字イメージをイメージ確認部に順次連続的に表示する検査方法が開示されている。特許文献２に開示された方法によると、同じ認識結果の文字イメージを図１５における右下にある「イメージ確認部」に順次表示し、表示し終わったものをその左側の一覧表示部に（矢印で示す方向に）流していく。【０００７】
オペレータは、イメージ確認部を注視して、誤認識結果を発見すると、ストップの操作を行う。オペレータが誤認識結果を発見した後ストップ操作が完了するまでの間に、誤認識結果が一覧表示部に流れていってしまうが、当該誤認識結果が一覧表示部に表示されているので、それを見つけてマーキングあるいは修正を行うことができる。【０００８】
この特許文献２の検査方法によると、オペレータは、イメージ確認部のエリアに視線を固定することができ、特許文献１の方法と比較して、オペレータの眼の負担を軽減することができる。しかしながら、作業効率を上げるためにイメージ確認部の桁数を増やすと、オペレータが誤認識結果を見落としやすくなるので、文字イメージの流れのスピードを上げることができない。また、数字などの外形の変形の多い文字の場合、瞬間的な判断が困難なため、検査速度が著しきく低下し、またオペレータの負担も大きくなってしまう。また、オペレータは、イメージ確認部を注視していなければならず、瞬きをすることができず、必ずしもオペレータの負担が軽減されているとは言えなかった。
【特許文献１】米国特許第５,４５５,８７５号公報
【特許文献２】特開２００４−３８３４８号公報
【発明の開示】
【発明が解決しようとする課題】
【０００９】
上述のとおり、従来では、大量の同一認識結果の中から、誤認識結果（異物）を発見する作業において、オペレータの視線移動が大きいという問題や、作業負担が大きいという問題があった【００１０】
そこで、本発明は、上述の問題を鑑みてなされたものであり、大量の同一認識結果の中から、誤認識結果（異物）を発見する作業において、オペレータの負荷を軽減することを実現しながら、誤認識結果の見落としを低減し、且つ作業効率を高める表示方法及びシステムを提供すること目的とする。
【課題を解決するための手段】
【００１１】
本発明によると、表示部と該表示部を制御する制御部とを備え、前記表示部に複数の単位画像を順次表示するシステムにおいて、前記表示部は、前記制御部によって制御される第１の表示領域及び第２の表示領域を有し、前記制御部は、前記第１の表示領域における前記単位画像の表示形式と前記第２の表示領域における前記単位画像の表示形式とが異なるように制御するシステムが提供される。【００１２】
また、前記制御部は、単位時間あたりの前記複数の単位画像の移動距離を調整する手段を含むようにしてもよい。【００１３】
また、前記制御部は、前記第１の表示領域においては、前記単位画像を一定時間静止させて表示し、前記第２の表示領域においては、前記単位画像を所定のスクロール方向に移動させながら表示するようにしてもよい。【００１４】
また、前記制御部は、前記表示部に複数の単位画像を所定のスクロール方向へスクロールさせるとともに、前記表示部は、前記第１の表示領域に対して前記所定のスクロール方向の上流側及び／又は下流側に、前記第２の表示領域を有するようにしてもよい。【００１５】
また、前記制御部は、前記第２の表示領域における前記単位画像のサイズを、前記第１の表示領域における前記単位画像のサイズよりも大きく表示させるようにしてもよい。【００１６】
また、前記制御部は、前記第２の表示領域において、前記第１の表示領域においてよりも前記単位画像を拡大して表示させるようにしてもよい。【００１７】
また、前記制御部は、前記第２の表示領域において、前記第１の表示領域から離れるに従って、前記単位画像の拡大率を大きくして表示させるようにしてもよい。【００１８】
また、前記第２の表示領域に表示される前記所定のスクロール方向の前記単位画像の数は、前記第１の表示領域に表示される前記所定のスクロール方向の前記単位画像の数よりも多いようにしてもよい。【００１９】
また、前記第２の表示領域に表示される前記所定のスクロール方向と直交する方向の前記単位画像の数は、前記第１の表示領域に表示される前記所定のスクロール方向と直交する方向の前記単位画像の数と同一であるようにしてもよい。【００２０】
また、前記単位画像は、キャラクター画像を含むようにしてもよい。【００２１】
また、前記制御部は、前記単位画像中の前記キャラクター画像以外の部分の色を、前記第１の表示領域と前記第２の表示領域とで異ならせるようにしてよい。【００２２】
また、前記単位画像中の前記キャラクター画像以外の部分の色は、黄色又は青であるようにしてもよい。【００２３】
また、前記キャラクター画像が含まれる前記単位画像のデータを記憶する記憶部を備え、前記制御部は、前記単位画像のデータに基づいて、前記第１の表示領域及び前記第２の表示領域に前記単位画像を表示するようにしてもよい。【００２４】
また、キャラクターを光学的に読み取って得たキャラクター画像に基づいて、前記単位画像が含むキャラクターの種類を判断するＯＣＲ部を備え、前記記憶部は、前記ＯＣＲ部で特定のキャラクターを含むと判断された前記単位画像を複数記憶し、前記制御部は、前記特定のキャラクターを含むと判断された前記単位画像を複数まとめて前記第１の表示領域及び前記第２の表示領域に表示するようにしてもよい。【００２５】
また、前記キャラクターは記録媒体上の手書きキャラクターであるようにしてもよい。【００２６】
また、ユーザーの操作により、前記単位画像に含まれる前記キャラクターの種類を変更する編集部を備えるようにしてもよい。【００２７】
また、本発明によると、第１の表示領域及び第２の表示領域を備えるシステムに複数の単位画像を順次表示する方法において、前記複数の単位画像を前記システムの第１の表示領域及び第２の表示領域に、それぞれ表示形式を異ならせて表示するステップを含む方法が提供される。【００２８】
また、前記単位画像は、キャラクター画像を含み、前記キャラクター画像を含む前記単位画像のデータを記憶するステップと、前記単位画像のデータに基づいて、前記第１の表示領域及び前記第２の表示領域に前記単位画像を表示するステップと、を有するようにしてもよい。【００２９】
また、キャラクターを光学的に読み取ってキャラクター画像を得るステップと、前記キャラクター画像に基づいて、前記単位画像が含むキャラクターの種類を判断するステップと、前記特定のキャラクターを含むと判断された複数の前記単位画像を前記第１の表示領域及び前記第２の表示領域に表示するステップとを有するようにしてもよい。【００３０】
また、本発明によると、第１の表示領域及び第２の表示領域を備えるコンピュータ・システムに複数の単位画像を順次表示させるコンピュータ・プログラムであって、前記コンピュータ・システムに、前記複数の単位画像を前記コンピュータの第１の表示領域及び第２の表示領域にそれぞれ表示形式を異ならせて表示させるステップを実行させるコンピュータ・プログラムが提供される。
【発明の効果】
【００３１】
本発明によると、第１の表示領域及び第２の表示領域を含む複数の表示領域を有しており、第１の表示領域をオペレータ（ユーザー）が注視しているとき、オペレータは第２の表示領域を周辺視することで、検査結果の先読み・後追い（又は再確認）が可能となる。また、第１の表示領域における検査速度に追従できなくなった場合においても、第２の表示領域における周辺視を用いて後追いで検査することが可能となる。よって、先読み・後追い（再確認）検査ができることは、オペレータに作業の余裕をもたらすことができる。また、本発明によると、オペレータの視線移動を極力少なくすることができ、眼の負担を軽減することができる。
【発明を実施するための最良の形態】
【００３２】
以下、本発明のシステム、表示方法及びそれを用いたプログラムの実施形態について説明する。【００３３】
図１を参照する。図１は、本実施形態に係るシステムを実現するコンピュータ装置のハードウェア構成の例を模式的に示した図である。図１に示すコンピュータ装置は、演算手段であるＣＰＵ（Ｃｅｎｔｒａｌ  ＰｒｏｃｅｓｓｉｎｇＵｎｉｔ：中央処理装置）１０１と、Ｍ／Ｂ（マザーボード）チップセット１０２及びＣＰＵバスを介してＣＰＵ１０１に接続されたメインメモリ１０３と、同じくＭ／Ｂチップセット１０２及びＡＧＰ（Ａｃｃｅｌｅｒａｔｅｄ  Ｇｒａｐｈｉｃｓ  Ｐｏｒｔ）を介してＣＰＵ１０１に接続されたビデオカード１０４と、ビデオカード１０４にて生成されたグラフィックデータを表示する表示装置１１１とＰＣＩ（Ｐｅｒｉｐｈｅｒａｌ  Ｃｏｍｐｏｎｅｎｔ  Ｉｎｔｅｒｃｏｎｎｅｃｔ）バスを介してＭ／Ｂチップセット１０２に接続されたハードディスク１０５、ネットワークインターフェイス１０６及び図示しないイメージスキャナーにて読み取られた（スキャニングされた）イメージデータを伝送するスキャナインターフェイス１０７と、さらにこのＰＣＩバスからブリッジ回路１０８及びＩＳＡ（Ｉｎｄｕｓｔｒｙ  Ｓｔａｎｄａｒｄ  Ａｒｃｈｉｔｅｃｔｕｒｅ）バスなどの低速なバスを介してＭ／Ｂチップセット１０２に接続されたフロッピー（登録商標）ディスクドライブ１０９及びキーボード／マウス１１０とを有している。表示装置１１１としては、例えば液晶ディスプレイ（ＬＣＤ）やＣＲＴディスプレイを用いることができる。【００３４】
なお、図１は本実施形態を実現するコンピュータ装置の一例に過ぎず、本実施形態に係るシステムを実施することのできる構成であれば、適宜設計変更可能である。例えば、ビデオカード１０４を設ける代わりに、ビデオメモリのみを搭載し、ＣＰＵ１０１にてビデオデータを処理する構成としても良いし、音声による入出力を行うためのサウンド機構を設けたり、ＡＴＡ（ＡＴ  Ａｔｔａｃｈｍｅｎｔ）などのインターフェイスを介してＣＤ−ＲＯＭ（Ｃｏｍｐａｃｔ  Ｄｉｓｃ  Ｒｅａｄ  Ｏｎｌｙ  Ｍｅｍｏｒｙ）やＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）のドライブを設けたりしても良い。【００３５】
また、図１に示したハードウェア構成例においては、スキャナインターフェイス１０７が、外部に接続されたスキャナーからのイメージデータを受信するが、スキャナインターフェイス１０７にスキャナー機能を具備するＯＣＲ装置を接続する構成も可能で、その場合はＯＣＲ装置からイメージデータとともに文字認識結果などの情報も受信する。スキャナーやＯＣＲ装置は、紙等の記録媒体上の文字等のキャラクター（印刷されたもの及び手書きされたものを含む）を読み取り、イメージデータを作成する。【００３６】
図２は、本実施形態に係るシステムの機能を説明するブロック図である。本実施形態に係るシステムは、イメージスキャナーの認識結果を目視検査するための画面を表示する表示部２１０と、表示部２１０の複数の表示領域において、文字イメージデータや基準画像等のスクロール表示を制御し、また単位画像に含まれる文字イメージデータの種類を変更する編集部としての役割を果たす文字イメージデータ表示制御部２２０と、スキャニングされたイメージデータを格納する文書イメージデータ格納部２３０と、文書イメージデータ格納部２３０から文字イメージデータを読み込み、当該文字イメージデータと複数の基準データとを比較し、最も近い基準データによって当該文字イメージデータを特定の文字と認識する文字イメージデータ認識部２４０と、特定の文字として認識された文字イメージデータの認識結果毎に文字イメージデータをグループ化して格納する文字イメージデータ格納部２５０と、オペレータの操作に基づいて（操作を検出して）各種機能を呼び出す操作受付部２６０と、操作受付部２６０にて受け付けられたオペレータの操作に応じて文字イメージデータの認識結果を修正する認識結果修正部２７０とを備える。なお、文書イメージデータ格納部２３０と文字イメージデータ認識部２４０とを併せてＯＣＲ部としてもよい。【００３７】
なお、本実施形態においては、文字を代表例として用いた例について説明しているが、本発明のシステム及び表示方法は、文字に限定されるわけではなく、例えば、文字（ひらがなや片仮名、漢字を含む。）、数字、符号を含む全てのキャラクターや、その他図形についても、イメージデータの対象とすることができる。【００３８】
次に、図３を参照する。図３には、本実施形態のシステム及び表示方法における表示部２１０の表示例が示されている。表示部２１０には、第１の表示領域２１１、第２の表示領域２１２ａ及び２１２ｂが表示される。第１の表示領域２１１は、通常、オペレータが注視する領域（「注視領域」とも言う。）である。２つの第２の表示領域のうち、第２の表示領域２１２ａは、表示部２１０の下部から第１の表示領域２１１へ向かってスクロールしていく単位画像２１３が表示される領域であり、「検査待ち領域」とも言う。また、もう一方の第２の表示領域２１２ｂは、第１の表示領域２１１から表示部２１０の上部へスクロールしていく単位画像２１３が表示される領域であり、「検査済み領域」とも言う。なお、表示部２１０において、白抜きの矢印で示した方向は、単位画像のスクロール方向である。本実施形態においては、第２の表示領域２１２ａ及び２１２ｂは、それぞれ、第１の表示領域２１１に対する単位画像２１３のスクロール方向の上流側、下流側に儲けられている。なお、本実施形態においては、単位画像は表示部２１０の下部から上部へ向かってスクロールするようにしているが、これに限定されるわけではなく、上部から下部へ向かってスクロールするようにしてもよいし、後述の実施例で説明するように、横方向にスクロールするようにしてもよい。【００３９】
単位画像２１３は、文字データ認識部２４０によって特定の文字として認識され、認識結果毎にグループ化して文字イメージデータ格納部２５０に格納されている複数の文字イメージデータをそれぞれ表示した画像である。図３においては、基準データ「８」と同一であると認識された複数の文字イメージデータが単位画像として表示されている。これら横方向に並んだ４つの単位画像２１３を纏めて「単位画像セット２１３ａ」と言う。本実施形態においては、４つの単位画像２１３が横方向に並んだ例について説明しているが、これに限定されるわけではなく、１以上であり好ましくは４以下の単位画像を適宜並べることができる。例えば、１つの単位画像２１３のみがスクロールする画面例を図５に示す。なお、１つの単位画像２１３のみがスクロールする場合においても、図５に示すように、第１の表示領域２１１には、基準画像２１４を設けてもよい。【００４０】
再度図３を参照する。第１の表示領域２１１の４つの単位画像を挟むように配置され表示された基準画像２１４は、本実施形態においては、基準データ「８」を表示した画像である。この基準画像は、図３のように表示されるようにしてもよいし、表示されないようにしてもよい。また、単位画像としてどのような文字イメージデータを選択するかは、オペレータが決定するようにしてもよいし、システムが自動的に決定するようにしてもよい。【００４１】
本発明のシステムにおいては、複数の単位画像が並んだ単位画像セット２１３ａが、第２の表示領域２１２ａ、第１の表示領域２１１、第２の表示領域２１２ｂの順に滑らかに移動する。なお、この「滑らかに」移動するとは、オペレータが見ても単位画像が移動しているように見え、単位画像が切り替わっているように見えない程度のことを言う。この「滑らかに」の度合いは、画面のサイズ、画素数等によって変化する。また、「滑らかさ」の調整は、単位時間あたりの単位画像の移動距離を調整することによって行う。この「滑らかさ」の調整は、文字イメージデータ表示制御部２２０が行うことになる。【００４２】
また、本発明のシステムにおいては、第１の表示領域２１１と第２の表示領域２１２ａ及び２１２ｂとにおいて、それぞれ、単位画像２１３の表示形式が異なっている。具体的には、図３に示すとおり、第２の表示領域２１２ａ及び２１２ｂにおいては、第１の表示領域２１１から遠ざかるに従い、単位画像２１３の大きさが大きくなっている。言い換えると、第２の表示領域２１２ａにおいては、単位画像２１３が表示部２１０の下部から第１の表示領域２１１へ向かってスクロールして行くに従い、単位画像２１３の大きさが小さくなって行き（単位画像２１３の拡大率が小さくなって行き）、また、第２の表示領域２１２ｂにおいては、単位画像２１３が第１の表示領域２１１から表示部２１０の上部へ向かってスクロールして行くに従い、単位画像２１３の大きさが大きくなっていく（単位画像２１３の拡大率が大きくなって行く）。なお、単位画像２１３が拡大・縮小するに従い、その単位画像２１３の文字イメージも拡大・縮小することになる。この単位画像の拡大率の調整は、文字イメージデータ表示制御部２２０が行うことになる。なお、第２の表示領域２１２ａ及び２１２ｂにおける単位画像２１３の縦横各々の拡大比率を変えてもよい。なお、本実施形態においては、単位画像が１ピクセル移動する毎に、その拡大率を変化させているが、それに限定されるわけではない。【００４３】
本発明のシステムにおいては、オペレータは、第１の表示領域２１１に視線を向けることで第１の表示領域２１１における単位画像２１３を目視検査し、さらに第２の表示領域２１２ａ及び２１２ｂにおける単位画像２１３を周辺視を用いて目視検査することを可能としている。一般に、オペレータの周辺視力は、中心視力よりも低いが、本発明においては、周辺視を用いて目視検査する第２の領域２１２ａ及び２１２ｂにおいて、単位画像２１３の大きさを大きくすることで、周辺視を用いた目視検査による検査補助が可能となる。また、本発明のシステムにおいては、周辺視を用いて目視検査する第２の表示領域２１２ａ及び２１２ｂが、第１の表示領域２１１に対して一次元方向（二方向、即ち本実施形態においては上下）のみに広がっている。このことは、第１の表示領域２１１に対して二次元方向（四方向、即ち上下左右）に情報があるものと比べてオペレータの意識の発散を抑えることができる。【００４４】
ここで、本発明のシステムを用いたオペレータの目視検査手順について説明する。【００４５】
まず、例えば、表示部２１０に表示される操作ボタン群（図示せず）のうち、目視検査を開始するためのボタンに対してクリックまたは選択等の操作が行われると、この操作は、操作受付部２６０によって文字イメージデータ表示制御部２２０に通知される。【００４６】
本発明のシステムを用いる際は、通常、オペレータは、第１の表示領域２１１を注視し、表示されている単位画像２１３中に文字イメージデータの誤認識結果が含まれているかどうかをチェックする。第２の表示領域２１２ａにおいては、表示部２１０の下部から第１の表示領域２１１に向かって単位画像セット２１３ａが滑らかにスクロールして行く。オペレータは、周辺視を用いて視認される第２の表示領域２１２ａにおける単位画像セット２１３ａを意識し、誤認識結果が含まれていること（異物混入）を検知する。【００４７】
次に、文字イメージデータ表示制御部２２０によって単位画像セット２１３ａが第２の表示領域２１２ａから第１の表示領域２１１へスクロール移動し、一定期間第１の表示領域２１１で静止した後、第２の表示領域２１２ｂへスクロール移動する。オペレータは、第１の表示領域２１１を注視（中心視）し、詳細な目視検査を行い、表示されている単位画像２１３中に文字イメージデータの誤認識結果が含まれているかどうかをチェックする。【００４８】
次に、単位画像セット２１３ａが第１の表示領域２１１から第２の表示領域２１２ｂへスクロール移動する。第１の表示領域２１１からスクロール移動する単位画像セット２１３ａは、表示部２１０の上部に向かって滑らかに移動し、表示部２１０の上部で消えるようになっている。オペレータは、周辺視を用いて視認される第２の表示領域２１２ｂにおける単位画像セット２１３ａを意識し、誤認識結果の無いことを再確認する。【００４９】
なお、オペレータは、誤認識結果を発見した場合、スクロール停止操作を行い、正しい認識結果を入力するか、又は誤認識結果を含む単位画像２１３にマウス等でマーキング（例えば、単位画像２１３の背景色を変化させる、単位画像２１３中の文字イメージデータの色を変化させる等）を行う。このマーキングされた誤認識結果を集めて、上記特許文献１に開示された方法を用いて修正作業を行っても良い。【００５０】
上述の動作が繰り返され、新たな文字イメージデータの単位画像２１３が次々と目視検査の対象としてスクロールされて行く。【００５１】
以上説明したとおり、オペレータは、（１）中心視を用いた第１の表示領域２１１における詳細な目視検査を主として行い、（２）周辺視を用いた第２の表示領域２１２ａにおける目視検査、及び、（３）周辺視を用いた第２の表示領域２１２ａにおける２１２ｂにおける目視検査を従として行うことになる。これら主と従の関係にある目視検査（１）〜（３）を同時に行うことにより、オペレータは、殆ど視線移動を行う必要がないので、オペレータの負担を極力少なくすることができ、且つ検査漏れを著しく減少させることができる。【００５２】
なお、本発明のシステムを用いると、オペレータは、次のような柔軟な目視検査を行うことが可能となる。
（パターン１）オペレータが、検査スピードに対して余裕のある時は、先回りして上記（１）の検査に重きを置き、周辺視を用いた目視検査を有効に利用することが可能である。（パターン２）オペレータが、上記（２）の検査において、詳細な検査を行う必要があると判断した場合は、上記（１）の検査及び（３）の検査は意識外に置いて、目視検査を行うようにしてもよい。
（パターン３）オペレータが、上記（２）の検査を十分に行うことができないと判断した場合は、上記（３）の検査に意識を集中して周辺視を用いた目視検査を有効に利用することができる。なお、上記（３）の検査に意識を集中しても、完全な目視検査を完了することができないと判断した場合は、キー操作等を行うことにより、単位画像２１３のスクロールのスピードを落としたり、スクロールを停止したり、スクロールを逆戻りさせたりすることができる。【００５３】
また、本発明のシステムにおいては、オペレータの習熟度により、単位画像２１３のスクロール速度を変化させることができる。【００５４】
ここで、図４を参照する。図４は、本発明のシステムの動作を示したフローチャートである。まず、イメージスキャナーによって文書イメージデータを読み込み、文字イメージデータを基準データと比較し、文字イメージデータを特定の文字と認識する（ステップＳ１）。これらの動作は、文書イメージデータ格納部２３０、文字イメージデータ認識部２４０及び文字イメージデータ格納部２５０によって行われる。ユーザーが検査対象とする文字イメージデータを選択する（ステップＳ２）。例えば、図３においては、オペレータは「８」を選択している。次に、選択された文字イメージデータの単位画像２１３を文字イメージデータ表示制御部２２０によって第２の表示領域２１２ａ、第１の表示領域２１１及び第２の表示領域２１２ｂに連続的に表示し、スクロールする（ステップＳ３）。ここで、ユーザーによって停止操作が行われたかどうかを判断し（ステップＳ４）、停止操作が行われていない場合は、ステップＳ９に進み、停止操作が行われた場合は、単位画像２１３のスクロールを停止する（ステップＳ５）。次に、ユーザーによる誤認識結果の修正処理が行われる（ステップＳ６）。修正処理が行われた後、ユーザーのスクロール開始操作（ステップＳ７）によって、開ステップＳ３に戻る。ステップＳ９においては、ユーザーによって終了操作が行われたかどうかを判断し、終了操作が行われた場合は、目視検査が終了する（ステップＳ８）。終了操作が行われない場合は、選択された文字イメージデータの全ての単位画像の表示が完了したかどうかを判断し、完了している場合は、目視検査が終了する（ステップＳ８）、完了していない場合は、ステップＳ３に戻る。このフローを全ての基準データについて行うことにより、検査漏れのない目視検査を達成することができる。【００５５】
上述のとおり、本発明のシステムにおいては、「注視エリア」に視線を置き、周辺視を有効に使うことにより、オペレータの視線移動を極力少なくすることができ、オペレータの負担を軽減しつつ、検査漏れを著しく低減することができる。【００５６】
ここで、図６を参照する。図６には、本実施形態に係る本発明のシステムにおける表示部２１０の表示例が示されている。本実施形態においては、第２の表示領域２１２ａ及び２１２ｂにおける単位画像２１３の大きさは、第１の表示領域２１１の中心からの距離（第１の表示領域２１２における単位画像の中心からの距離）と第１の表示領域２１２における単位画像の幅とに相関関係を有している。具体的に説明すると、本実施形態においては、第２の表示領域２１２ａ及び２１２ｂにおける単位画像２１３（図６においては、第２の表示領域２１２ｂの最上部左側の単位画像２１３を用いて説明している。）の中心から第１の表示領域２１２における単位画像の中心の距離をＤ、第１の表示領域２１１における単位画像２１３の幅をＷとすると、第２の表示領域における単位画像２１３の高さｈ、幅ｗは、以下の（数式１）〜（数式３）を満たす。なお、第２の表示領域２１２ａ及び２１２ｂにおける全ての単位画像２１３が以下の（数式１）〜（数式３）を満たすことになる。【００５７】
【数１】
0004608541.tif 000002
【００５８】
但し、ａ、ｂ、ｃ、ｄは、それぞれ、調整用パラメータであり、任意に設定すればよい。なお、第２の表示領域における当該特定の単位画像２１３の幅ｗは、（数式２）又は（数式３）を満たすようにすればよい。なお、（数式１）におけるＤは、視野中心（第１の表示領域の中心）から単位画像セットまでの視角としてもよい。なお、本発明のシステム及び方法においては、単位画像の大きさを決定する数式は、これら（数式１）〜（数式３）に限定されるわけではない。【００５９】
本実施形態のように、第２の表示領域における単位画像２１３の高さｈ及び幅ｗが、（数式１）〜（数式３）を満たすようにすることにより、第２の表示領域２１２ａ及び２１２ｂにおいては、第１の表示領域２１１から離れるに従い、その拡大率が増大することになるので、周辺視による目視検査をより有効に行うことができる。【００６０】
なお、本実施形態においては、４つの単位画像２１３が横方向に並んだ例について説明しているが、これに限定されるわけではなく、１以上であり好ましくは４以下の単位画像を適宜並べることができる。また、本実施形態では、単位画像２１３が、縦方向にスクロールする例について説明したが、単位画像２１３が横方向にスクロールするようにしてもよいのは言うまでもない。【００６１】
ここで、図７を参照する。図７には、本実施形態に係る本発明のシステムにおける表示部２１０の表示例が示されている。図７に示す例においては、本発明のシステム及び方法において、上述の（数式１）におけるｗを単位画像セットの中の各横走査線毎の幅とし、Ｄを第一の表示領域の上下方向の中心線から単位画像セットの中の各横走査線毎までの距離とすることで、（数式１）を満たすことにより、視野中心からの角度が大きくなるにつれて、横方向の拡大率を横走査線毎に大きくさせることができる。【００６２】
なお、図３においては、第１の表示領域２１２と第２の表示領域２１２ａ及び２１２ｂとは、隣接しているようにしたが、これに限定されるわけではなく、第１の表示領域２１２の一部と第２の表示領域２１２ａの一部及び第２の表示領域２１２ｂの一部とが、それぞれ、重なっているようにしてもよいし、また、第１の表示領域２１２と第２の表示領域２１２ａとの境界、及び第１の表示領域２１２と第２の表示領域２１２ｂとの境界が、それぞれ、連続しているようにしてもよい。【００６３】
また、第１の表示領域２１１と、第２の表示領域２１２ａ及び２１２ｂとにおける単位画像２１３の文字イメージデータの背景色を変化させることは有効である。これは、オペレータにとって周辺視し易い色（例えば、黄色又は青色）が存在するからである。例えば、第１の表示領域２１１における単位画像２１３の文字イメージデータの背景色を白とし、第２の表示領域２１２ａ及び２１２ｂとにおける単位画像２１３の文字イメージデータの背景色を黄色又は青色とすることにより、オペレータは、第２の表示領域２１２ａ及び２１２ｂにおける周辺視が容易となり、周辺視による目視検査の精度が向上する。【００６４】
以上詳細に述べたとおり、本発明によると、第１の表示領域をオペレータが注視しているとき、オペレータは第２の表示領域を周辺視することで、検査結果の先読み・後追い（又は再確認）が可能となる。また、第１の表示領域における検査速度に追従できなくなった場合においても、第２の表示領域における周辺視を用いて後追いで検査することが可能となる。よって、先読み・後追い（再確認）検査ができることは、オペレータに作業の余裕をもたらすことができる。また、本発明によると、オペレータの視線移動を極力少なくすることができ、眼の負担を軽減することができる。
【実施例１】
【００６５】
本実施例においては、本発明のシステム及び表示方法において、第１の表示領域及び第２の表示領域の表示方法の別の例について説明する。なお、その他の構成要素については、上述の実施形態で説明したものと同様であるので、ここでは改めて説明はしない。【００６６】
図８を参照する。図８には、本実施例に係る本発明のシステム及び表示方法の表示部２１０の表示例が示されている。本実施例においても、上述の実施形態と同様、表示部２１０には、第１の表示領域２１１、第２の表示領域２１２ａ及び２１２ｂが表示される。本実施においては、２つの第２の表示領域のうち、第２の表示領域２１２ａは、表示部２１０の上部から第１の表示領域２１１へ向かってスクロールしていく単位画像２１３が表示される領域である。また、もう一方の第２の表示領域２１２ｂは、第１の表示領域２１１から表示部２１０の下部へスクロールしていく単位画像２１３が表示される領域である。【００６７】
本実施例においては、単位画像２１３は、表示部の上部から下部へ向かってスクロールしているが、スクロール方向を逆にしても構わない。また、本実施例に係るシステムにおいては、第１の表示領域２１１と第２の表示領域２１２ａ及び２１２ｂとにおいて、それぞれ、単位画像２１３の表示形式が異なっている。具体的には、図８に示すとおり、第２の表示領域２１２ａにおいては、第１の表示領域２１１から遠ざかるに従い、単位画像２１３の大きさが大きくなっている。言い換えると、第２の表示領域２１２ａにおいては、単位画像２１３が表示部２１０の下部から第１の表示領域２１１へ向かってスクロールして行くに従い、単位画像２１３の大きさが小さくなって行く（単位画像２１３の拡大率が小さくなって行く）。また、第２の表示領域２１２ｂにおいては、単位画像２１３が第１の表示領域２１１から表示部２１０の下部へ向かってスクロールして行っても、単位画像２１３の大きさは変化しないようになっている。本実施例においては、４つの単位画像２１３が横方向に並んだ例について説明しているが、これに限定されるわけではなく、１以上であり好ましくは４以下の単位画像を適宜並べることができる。【００６８】
なお、図８においては、第１の表示領域２１２の一部と第２の表示領域２１２ａの一部及び第２の表示領域２１２ｂの一部とが、それぞれ、重なっているようにしたが、これに限定されるわけではなく、第１の表示領域２１２と第２の表示領域２１２ａ及び２１２ｂとは、隣接しているようにしてもよいし、また、第１の表示領域２１２と第２の表示領域２１２ａとの境界、及び第１の表示領域２１２と第２の表示領域２１２ｂとの境界が、それぞれ、連続しているようにしてもよい。【００６９】
このように、本実施例のシステムにおいては、第２の表示領域２１２ａにおける単位画像２１３の大きさが、第１の表示領域２１１における単位画像２１３よりも大きく、オペレータは、周辺視を用いて視認される第２の表示領域２１２ａにおける単位画像セット２１３ａを意識することができ、第１の領域２１１における詳細な目視検査の前に、誤認識結果が含まれていること（異物混入）を検知することができる。【００７０】
本実施例においても、上述の実施形態と同様、第１の表示領域２１１と、第２の表示領域２１２ａ及び２１２ｂとにおける単位画像２１３の文字イメージデータの背景色を変化させることは有効である。例えば、第１の表示領域２１１における単位画像２１３の文字イメージデータの背景色を白とし、第２の表示領域２１２ａ及び２１２ｂとにおける単位画像２１３の文字イメージデータの背景色を黄色又は青色とすることにより、オペレータは、第２の表示領域２１２ａにおける周辺視が容易となり、周辺視による目視検査の精度が向上する。【００７１】
以上述べたとおり、本実施例に係る本発明によると、第１の表示領域をオペレータが注視しているとき、オペレータは第２の表示領域を周辺視することで、検査結果の先読みが可能となる。よって、先読み検査ができることは、オペレータに作業の余裕をもたらすことができる。また、本発明によると、オペレータの視線移動を極力少なくすることができ、眼の負担を軽減することができる。【００７２】
なお、本実施例のシステム及び方法においても、上述の実施形態並びに図６及び図７で説明した（数式１）〜（数式３）を満たすように単位画像の処理を行えばよい。
【実施例２】
【００７３】
本実施例においては、本発明のシステム及び表示方法において、第１の表示領域及び第２の表示領域の表示方法の別の例について説明する。なお、その他の構成要素については、上述の実施形態で説明したものと同様であるので、ここでは改めて説明はしない。【００７４】
図９を参照する。図９には、本実施例に係る本発明のシステム及び表示方法の表示部２１０の表示例が示されている。本実施例においても、上述の実施形態と同様、表示部２１０には、第１の表示領域２１１、第２の表示領域２１２ａ及び２１２ｂが表示される。本実施例は、上述の実施形態と異なり、単位画像２１３が横方向にスクロールするようになっている。なお、本実施例においては、４つの単位画像２１３が縦方向に並んだ例について説明しているが、これに限定されるわけではなく、１以上であり好ましくは４以下の単位画像を適宜並べることができる。【００７５】
なお、本実施例においては、単位画像２１３は、表示部の右部から左部へ向かってスクロールしているが、スクロール方向を逆にしても構わない。また、本実施例に係るシステムにおいては、第１の表示領域２１１と第２の表示領域２１２ａ及び２１２ｂとにおいて、それぞれ、単位画像２１３の表示形式が異なっている。具体的には、図９に示すとおり、第２の表示領域２１２ａ及び２１２ｂにおいては、第１の表示領域２１１から遠ざかるに従い、単位画像２１３の大きさが大きくなっている。言い換えると、第２の表示領域２１２ａにおいては、単位画像２１３が表示部２１０の右部から第１の表示領域２１１へ向かってスクロールして行くに従い、単位画像２１３の大きさが小さくなって行き（単位画像２１３の拡大率が小さくなって行き）、また、第２の表示領域２１２ｂにおいては、単位画像２１３が第１の表示領域２１１から表示部２１０の左部へ向かってスクロールして行くに従い、単位画像２１３の大きさが大きくなっていく（単位画像２１３の拡大率が大きくなって行く）。【００７６】
本発明のシステムにおいては、オペレータは、第１の表示領域２１１に視線を向けることで第１の表示領域２１１における単位画像２１３を目視検査し、さらに第２の表示領域２１２ａ及び２１２ｂにおける単位画像２１３を周辺視を用いて目視検査することを可能としている。【００７７】
なお、図９においては、第１の表示領域２１２と第２の表示領域２１２ａ及び２１２ｂとは、隣接しているようにしたが、これに限定されるわけではなく、第１の表示領域２１２の一部と第２の表示領域２１２ａの一部及び第２の表示領域２１２ｂの一部とが、それぞれ、重なっているようにしてもよいし、また、第１の表示領域２１２と第２の表示領域２１２ａとの境界、及び第１の表示領域２１２と第２の表示領域２１２ｂとの境界が、それぞれ、連続しているようにしてもよい。【００７８】
このように、本実施例のシステムにおいては、第２の表示領域２１２ａ及び２１２ｂにおける単位画像２１３の大きさが、第１の表示領域２１１における単位画像２１３よりも大きく、オペレータは、周辺視を用いて視認される第２の表示領域２１２ａ及び２１２ｂにおける単位画像セット２１３ａを意識することができ、第１の領域２１１における詳細な目視検査の前及び後に、誤認識結果が含まれていること（異物混入）を検知することができる。【００７９】
本実施例においても、上述の実施形態と同様、第１の表示領域２１１と、第２の表示領域２１２ａ及び２１２ｂとにおける単位画像２１３の文字イメージデータの背景色を変化させることは有効である。例えば、第１の表示領域２１１における単位画像２１３の文字イメージデータの背景色を白とし、第２の表示領域２１２ａ及び２１２ｂとにおける単位画像２１３の文字イメージデータの背景色を黄色又は青色とすることにより、オペレータは、第２の表示領域２１２ａ及び２１２ｂにおける周辺視が容易となり、周辺視による目視検査の精度が向上する。【００８０】
以上詳細に述べたとおり、本実施例に係る本発明によると、第１の表示領域をオペレータが注視しているとき、オペレータは第２の表示領域を周辺視することで、検査結果の先読み・後追い（又は再確認）が可能となる。また、第１の表示領域における検査速度に追従できなくなった場合においても、第２の表示領域における周辺視を用いて後追いで検査することが可能となる。よって、先読み・後追い（再確認）検査ができることは、オペレータに作業の余裕をもたらすことができる。また、本発明によると、オペレータの視線移動を極力少なくすることができ、眼の負担を軽減することができる。【００８１】
また、図１０に示すように、第２の表示領域２１２ａにおける単位画像２１３の表示方法と、第２の表示領域２１２ｂにおける単位画像２１３の表示方法とを異ならせてもよい。図１０に示した例では、第２の表示領域２１２ａにおいては、単位画像２１３が表示部２１０の右部から第１の表示領域２１１へ向かってスクロールして行くに従い、単位画像２１３の大きさが小さくなって行く（単位画像２１３の拡大率が小さくなって行く）。また、第２の表示領域２１２ｂにおいては、単位画像２１３が第１の表示領域２１１から表示部２１０の左部へ向かってスクロールして行っても、単位画像２１３の大きさは変化しないようになっている。図１０に示す例においても、第１の表示領域をオペレータが注視しているとき、オペレータは第２の表示領域２１２ａを周辺視することで、検査結果の先読みが可能となる。よって、先読み検査ができることは、オペレータに作業の余裕をもたらすことができる。また、本発明によると、オペレータの視線移動を極力少なくすることができ、眼の負担を軽減することができる。【００８２】
なお、本実施例のような単位画像が横方向へスクロールする場合においても、上述の実施形態並びに図６及び図７を用いて説明した（数式１）〜（数式３）を満たすように単位画像の処理を行ってもよい。この場合、上述の図６及び図７を９０度回転した状態で、（数式１）〜（数式３）を満たす条件を用いればよい。なお、本実施例においても、単位画像の大きさを決定する数式は、（数式１）〜（数式３）に限定されるわけではない。
【実施例３】
【００８３】
本発明のシステム及び表示方法において、第２の表示領域の各所における単位画像の拡大率は、画像視野の中心からの角度（視角）毎の視力減衰の程度に相関させて決定されることが好ましい。従って、第２の表示領域内のそれぞれの単位画像の拡大率をその位置の視角に応じて違えたり、同一単位画像セット内の単位画像の位置を視角が同一となるように、単位画像セットを湾曲させたり、あるいは単位画像それぞれに変形を加えることも本発明の思想の範囲に含まれる。【００８４】
また、上記単位画像の拡大率や変形については、単位画像をさらに細分化された小領域における拡大率や変形と考えても良い。【００８５】
図１１を参照する。図１１には、本実施例に係る本発明の表示システムにおける表示部２１０の表示例が示されている。本実施例においては、上述の実施形態において説明した方法を用いて第２の表示領域２１２ａ及び２１２ｂにおける単位画像２１３の形状を（数式１）〜（数式３）満たすように変形した上で、更に、第１の表示領域２１１の中心点からの距離を基準として変形を加えるものである。こうすることによって、第２の表示領域２１２ａ及び２１２ｂにおける単位画像２１３の形状は、図１１に示すように扇形となる。【００８６】
このような処理を行うことにより、第２の表示領域２１２ａ及び２１２ｂにおいては、単位画像２１３は扇型状となり、且つ第１の表示領域２１１から離れるに従い、その拡大率が増大することになるので、周辺視による目視検査をより有効に行うことができる。【００８７】
次に、図１２を参照する。図１２には、本実施例に係る本発明の表示システムにおける表示部２１０の別の表示例が示されている。本実施例においては、上述の実施形態において説明した方法を用いて第２の表示領域２１２ａ及び２１２ｂにおける単位画像２１３の形状を（数式１）〜（数式３）満たすように変形した上で、更に、第１の表示領域２１１を目視するオペレータの眼３０１ａ及び３０１ｂそれぞれの中心点からの距離を基準として変形を加えるものである。こうすることによって、第２の表示領域２１２ａ及び２１２ｂにおける単位画像２１３の形状は、扇形又は台形となる。【００８８】
このような処理を行うことにより、第２の表示領域２１２ａ及び２１２ｂにおいては、単位画像２１３は扇型状又は台形状となり、且つ第１の表示領域２１１から離れるに従い、その拡大率が増大することになるので、周辺視による目視検査をより有効に行うことができる。【００８９】
なお、本実施例においては、４つの単位画像２１３が横方向に並んだ例について説明しているが、これに限定されるわけではなく、１以上であり好ましくは４以下の単位画像を適宜並べることができる。また、本実施例では、単位画像２１３が、縦方向にスクロールする例について説明したが、単位画像２１３が横方向にスクロールするようにしてもよいのは言うまでもない。
【産業上の利用可能性】
【００９０】
本発明のシステム及び表示方法は、第１の表示領域及び第２の表示領域を含む複数の表示領域を有しており、第１の表示領域をオペレータが注視しているとき、オペレータは第２の表示領域を周辺視することで、検査結果の先読み・後追い（又は再確認）が可能となる。また、第１の表示領域における検査速度に追従できなくなった場合においても、第２の表示領域における周辺視を用いて後追いで検査することが可能となる。よって、先読み・後追い（再確認）検査ができることは、オペレータに作業の余裕をもたらすことができる。また、本発明によると、オペレータの視線移動を極力少なくすることができ、眼の負担を軽減することができる。【００９１】
よって、本発明は、図１３に示すようなデータエントリシートをＯＣＲ処理した場合の多量なイメージデータの認識結果の目視検査など、コンピュータによる処理の後、人手による目視検査が必要な検査システムにおいて有効である。
【図面の簡単な説明】
【００９２】
【図１】本発明の一実施形態に係るシステムを実現するコンピュータ装置のハードウェア構成例を模式的に示した図である。
【図２】本発明の一実施形態に係るシステムの機能を説明するブロック図である。
【図３】本発明の一実施形態のシステム及び表示方法における表示部２１０の表示例である。
【図４】本発明の一実施形態に係るシステムの動作を示したフローチャートである。
【図５】本発明の一実施形態のシステム及び表示方法における表示部２１０の表示例である。
【図６】本発明の一実施形態のシステム及び表示方法における表示部２１０の表示例である。
【図７】本発明の一実施形態のシステム及び表示方法における表示部２１０の表示例である。
【図８】本発明の一実施形態のシステム及び表示方法における表示部２１０の表示例である。
【図９】本発明の一実施形態のシステム及び表示方法における表示部２１０の表示例である。
【図１０】本発明の一実施形態のシステム及び表示方法における表示部２１０の表示例である。
【図１１】本発明の一実施形態の表示システム及び表示方法における表示部２１０の表示例である。
【図１２】本発明の一実施形態の表示システム及び表示方法における表示部２１０の表示例である。
【図１３】本発明の一実施形態の表示システム及び表示方法の適用例である。
【図１４】従来の目視検査の方法を示す図である。
【図１５】従来の目視検査の方法を示す図である。
【符号の説明】
【００９３】
１０１  ＣＰＵ
１０２  Ｍ／Ｂチップセット
１０３  インメモリ
１０４  ビデオカード
１１１  表示装置
１０５  ハードディスク
１０６  ネットワークインターフェイス
１０７  キャナインターフェイス
１０８  ブリッジ回路
１１０  キーボード／マウス
１０９  フロッピー（登録商標）ディスクドライブ
２２０  メージデータ表示制御部
２３０  文書イメージデータ格納部
２４０  文字イメージデータ認識部
２５０  文字イメージデータ格納部
２６０  操作受付部
２７０  認識結果修正部
２１１  第１の表示領域
２１２ａ、２１２ｂ  第２の表示領域
２１３  単位画像
２１３ａ  単位画像セット
【図１】
0004608541.tif 000003
【図２】
0004608541.tif 000004
【図３】
0004608541.tif 000005
【図４】
0004608541.tif 000006
【図５】
0004608541.tif 000007
【図６】
0004608541.tif 000008
【図７】
0004608541.tif 000009
【図８】
0004608541.tif 000010
【図９】
0004608541.tif 000011
【図１０】
0004608541.tif 000012
【図１１】
0004608541.tif 000013
【図１２】
0004608541.tif 000014
【図１３】
0004608541.tif 000015
【図１４】
0004608541.tif 000016
【図１５】
0004608541.tif 000017